【手続補正書】
【提出日】令和2年1月15日(2020.1.15)
【手続補正１】
【補正対象書類名】特許請求の範囲
【補正対象項目名】全文
【補正方法】変更
【補正の内容】
【特許請求の範囲】
【請求項１】
センシング領域を備えたタッチスクリーン、タッチコントローラ及び指紋コントローラを有する電子機器において指紋キャプチャを開始する方法であって、前記方法は、
前記電子機器を第１の電力モードにするステップと、
前記センシング領域に近接したオブジェクトを走査するステップと、
妥当性確認モードを実行して前記オブジェクトが指紋であるか否かを判断するステップと、
前記タッチコントローラから前記指紋コントローラにウェイクアップ信号を直接送信して前記指紋コントローラを第２の電力モードにするステップと、
前記指紋のイメージをキャプチャするステップと、を備え、
前記第１の電力モードは、前記指紋コントローラが低電力モードにあるドーズモードであり、
前記第２の電力モードは、前記第１の電力モードより高い電力の電力モードである方法。
【請求項２】
前記電子機器はホストを備え、前記ホストは前記ドーズモード及び前記妥当性確認モード中に前記第１の電力モードにされる、請求項１に記載の方法。
【請求項３】
前記センシング領域に近接した前記オブジェクトの走査は、所定の時間間隔で発生する、請求項１に記載の方法。
【請求項４】
前記妥当性確認モードを実行した後、前記ドーズモードに再び入る前に所定の時間間隔だけ待機する、請求項１に記載の方法。
【請求項５】
前記妥当性確認モードは、前記センシング領域内のタッチのサイズを解析することを含む、請求項１に記載の方法。
【請求項６】
前記妥当性確認モードは、前記センシング領域内のタッチ数を解析することを含む、請求項１に記載の方法。
【請求項７】
前記妥当性確認モードは、前記センシング領域内のタッチの位置を解析することを含む、請求項１に記載の方法。
【請求項８】
前記オブジェクトが前記センシング領域に近接していることを検出したことに応じて、前記センシング領域の一部を指配置ガイドとして照明するステップをさらに含む請求項１に記載の方法。
【請求項９】
前記電子機器の動きを検出したことに応答して、前記センシング領域の一部を指配置ガイドとして照明することをさらに含む請求項１に記載の方法。
【請求項１０】
前記センシング領域の一部の下に配置された照明素子を照明することをさらに含む請求項１に記載の方法。
【請求項１１】
前記妥当性確認モードは低電力ウェイクアップジェスチャー（ＬＰＷＧ）を解析することを含む、請求項１に記載の方法。
【請求項１２】
滞空状態のオブジェクトを検出するステップと、
前記滞空状態のオブジェクトの検出に応じて、前記センシング領域の一部を照明するステップと、をさらに含む請求項１に記載の方法。
【請求項１３】
前記タッチコントローラからディスプレイコントローラに信号を直接送信し、光学的指紋センシングのためのセンシング領域を照明するステップをさらに含む、請求項１に記載の方法。
【請求項１４】
第１の電力モードにあり、ウェイクアップ信号を受信すると第２の電力モードになるように構成された指紋コントローラと、
前記指紋コントローラと直接通信し、前記指紋コントローラに前記ウェイクアップ信号を送信するように構成されたタッチコントローラと、を備え、
前記第２の電力モードは、前記第１の電力モードよりも高い電力の電力モードである電子機器。
【請求項１５】
ディスプレイを制御し、前記タッチコントローラと直接通信し、前記ディスプレイの指紋センシング領域を照明するように構成されたディスプレイコントローラをさらに備える、請求項１４に記載の電子機器。
【請求項１６】
モーションセンサをさらに備え、
前記ディスプレイコントローラは、動きが検出されると前記指紋センシング領域を照明する、請求項１５に記載の電子機器。
【請求項１７】
前記指紋センシング領域の下に搭載された照明素子をさらに備えた請求項１５に記載の電子機器。
【請求項１８】
前記タッチコントローラと前記指紋コントローラとは単一のダイに統合されている、請求項１４に記載の電子機器。
【請求項１９】
前記タッチコントローラと前記指紋コントローラとは１つの共通のプロセッサを有する、請求項１８に記載の電子機器。
【請求項２０】
前記電子機器は、
前記第１の電力モードになって、前記電子機器のセンシング領域に近接したオブジェクトを走査し、
妥当性確認モードを実行して前記オブジェクトが指紋であるかどうかを判断し、
前記タッチコントローラから前記指紋コントローラに前記ウェイクアップ信号を直接送信して、前記指紋コントローラを前記第２の電力モードにし、
前記指紋のイメージをキャプチャするように構成されている、請求項１４に記載の電子機器。
【請求項２１】
前記タッチコントローラと直接通信するディスプレイコントローラをさらに備え、
前記タッチコントローラは、前記ディスプレイコントローラに信号を直接送信して、光学的指紋センシングのためのセンシング領域を照明する、請求項１４に記載の電子機器。
【請求項２２】
第１の電力モード中にセンシング領域に近接したオブジェクトを走査し、妥当性確認モードを実行して、前記オブジェクトが指紋であるか否かを判断するように構成されたタッチコントローラを備え、
前記タッチコントローラは指紋コントローラと直接通信して、前記妥当性確認モードの結果に基づいて前記指紋コントローラにウェイクアップ信号を送信するように構成される、
電子機器。
【請求項２３】
前記タッチコントローラはさらに、ディスプレイコントローラに信号を直接送信して、光学センシングのための前記センシング領域を照明させるように構成されている、請求項２２に記載の電子機器。
【請求項２４】
前記タッチコントローラはさらに、前記ディスプレイコントローラに信号を直接送信して、光学指紋センシングのための前記センシング領域の照明をオフにするように構成されている、請求項２３に記載の電子機器。
【請求項２５】
センシング領域を備えたタッチスクリーンと、ホストと、タッチコントローラと、指紋コントローラを有する電子機器で指紋キャプチャを開始する方法であって、前記方法が、
前記電子機器を第１の電力モードにし、前記第１の電力モードは、前記指紋コントローラが低電力モードにあるドーズモードであり、
前記センシング領域に近接したオブジェクトを走査し、
妥当性確認モードを実行して前記オブジェクトが指紋であるか否かを判断し、
前記タッチコントローラから前記ホストに第１の信号を送信し、前記第１の信号は第１のウェイクアップ信号であり、
前記指紋コントローラから前記ホストに第２の信号を送信して前記指紋キャプチャを開始する、
ことを含む方法。
【請求項２６】
前記第２の信号は第２のウェイクアップ信号である、請求項２５に記載の方法。
【請求項２７】
前記ホストからディスプレイコントローラに第３の信号を送信して、前記指紋キャプチャ中に前記センシング領域の照明を開始することをさらに含む、請求項２５に記載の方法。
【請求項２８】
センシング領域を備えたタッチスクリーンを含む電子機器であって、
ドーズモードである第１の電力モードになるように構成された指紋コントローラと、
前記第１の電力モードになるように構成されたホストと、
妥当性確認モード中に有効なタッチが検出されると前記ホストに第１の信号を送信するように構成されたタッチコントローラと、を備え、前記第１の信号は第１のウェイクアップ信号であり、
前記ホストは前記指紋コントローラ及び前記タッチコントローラと通信し、前記ホストは、前記有効なタッチの検出に応答して第２の信号を前記指紋コントローラに送信して、指紋キャプチャを開始するように構成される、
電子機器。
【請求項２９】
前記第２の信号は第２のウェイクアップ信号である、請求項２８に記載の電子機器。
【請求項３０】
ディスプレイコントローラをさらに備え、前記ホストはさらに、前記ディスプレイコントローラに第３の信号を送信して、前記指紋キャプチャ中に前記センシング領域の照明を開始するように構成されている、請求項２８に記載の電子機器。